(57)【要約】【課題】大画面の表示部を使用して歌唱を楽しむ環境下等において、視認しやすい歌詞を歌唱者に提供する。【解決手段】本発明に係るカラオケ装置は、歌唱者の位置を検出する位置検出処理と、演奏部に演奏情報を演奏させるとともに、位置検出処理で検出した歌唱者の位置に基づいて、表示部の表示領域内に表示される画像情報の大きさを変更する再生処理と、を実行することを特徴とする。【選択図】図１０
2015069042.tif 000002
【特許請求の範囲】
【請求項１】
歌詞情報を含んで構成された画像情報を表示部に表示させるカラオケ装置において、
演奏部と、制御部と、を備え、
前記演奏部は、演奏情報を演奏可能とし、
前記制御部は、
歌唱者の位置を検出する位置検出処理と、
前記演奏部に演奏情報を演奏させるとともに、前記位置検出処理で検出した歌唱者の位置に基づいて、前記表示部の表示領域内に表示される画像情報の大きさを変更する再生処理と、を実行することを特徴とする
カラオケ装置。
【請求項２】
前記再生処理は、前記位置検出処理で検出した歌唱者の位置に基づいて、前記画像情報中の歌詞情報の大きさを変更することを特徴とする
請求項１に記載のカラオケ装置。
【請求項３】
前記再生処理は、前記位置検出処理で検出した歌唱者の位置に基づいて、前記表示部の表示領域内に表示される画像情報の位置を変更することを特徴とする
請求項１または請求項２に記載のカラオケ装置。
【請求項４】
前記位置検出処理は、複数の歌唱者の位置を検出し、
前記再生処理は、前記位置検出処理で検出した各歌唱者の位置に基づいて、前記画像情報の位置を変更することを特徴とする
請求項３に記載のカラオケ装置。
【請求項５】
前記位置検出処理は、センサを使用して歌唱者の位置として検出することを特徴とする
請求項１から請求項４の何れか１項に記載のカラオケ装置。
【請求項６】
ユーザをログインさせるログイン処理と、
ログインしているユーザの位置を指定する位置指定処理と、
ログインしているユーザと楽曲の識別情報を対応付けて指定する楽曲指定処理と、を実行可能とし、
前記再生処理は、指定処理で指定された楽曲を再生させるとともに、
前記位置検出処理は、前記再生処理で再生されている楽曲に対応付けられたユーザについて、前記位置指定処理で指定された当該ユーザの位置を歌唱者の位置を検出することを特徴とする
請求項１から請求項４の何れか１項に記載のカラオケ装置。
【請求項７】
歌唱位置と楽曲の識別情報を対応付けて指定する楽曲処理を実行可能とし、
前記再生処理は、指定処理で指定された楽曲を再生させるとともに、
前記位置検出処理は、前記再生処理で再生されている楽曲に対応付けられた歌唱位置を歌唱者の位置として検出することを特徴とする
請求項１から請求項４の何れか１項に記載のカラオケ装置。
【発明の詳細な説明】
【技術分野】
【０００１】
本発明は、表示される歌詞を参照しつつ演奏にあわせて歌唱を楽しむカラオケ装置に関するものである。
【背景技術】
【０００２】
従来、楽曲の演奏に合わせて歌唱を楽しむカラオケ装置が知られている。カラオケ装置では、楽曲の演奏に同期してモニタ等の表示部に歌詞を表示することで、歌唱者に対する歌唱補助が行われている。
【０００３】
特許文献１には、所定の箇所毎に設けられたモニタ手段と、モニタ手段毎に設けられ、曲の予約と複数の場所から歌いたい場所の情報を選択するための入力を行うための予約手段と、これら予約手段によって曲の予約が行われた際、歌いたい場所の情報と予約に伴う選曲情報とを管理する予約管理手段とを備え、予約管理手段は、予約された曲の演奏が開始されると、歌いたい場所の情報に基づいて歌いたい場所のモニタ手段に予約された曲の歌詞を表示させるカラオケシステムが開示されている。
【先行技術文献】
【特許文献】
【０００４】
【特許文献１】特開平６−２７９８１号公報
【発明の概要】
【発明が解決しようとする課題】
【０００５】
特許文献１に開示されるように、従来のカラオケボックス、スナック等のカラオケ店舗では、部屋内のどこからでも視認しやすいように、複数台の表示装置が設置されることが多い。しかしながら、このような複数台の表示装置を配置した場合、各表示装置は、結果として部屋の最も奥に配置されることが多い。
【０００６】
このような表示手段の配置では、歌詞を確認するため表示装置を見る歌唱者は、常に部屋の奥を向いて歌唱することとなり、同室の互いのメンバーを見る機会が減少する、また、一緒に歌唱を楽しむデュエットにおいて、異なる表示部で歌詞を確認しなければならない、等、メンバー間におけるコミュニケーションの機会が損なわれる場合がある。さらに、部屋のどこからも視認しやすい位置に表示部を設置したことで、正面などから表示装置をきちんと視認しようとする場合、部屋の多くの位置において移動が求められる場合がある。
【０００７】
ところで、大画面のプロジェクタや液晶表示装置の普及に伴い、カラオケ店舗においても導入が進んでいる。このような大画面の表示装置では、迫力のある大画面映像を楽しむことが可能である。しかしながら、大画面に従来と同様、歌詞を表示させた場合、表示される歌詞も拡大されることとなり、歌唱者の位置によっては不自然に大きくなると共に、歌詞を確認が困難となることが考えられる。特に、カラオケボックス等の狭い空間内では、画面の間近で歌唱しなければならないことがあり、このような場合、表示される歌詞が確認できないことも考えられる。
【０００８】
本発明は、大画面の表示装置を利用するカラオケ装置において、表示される歌詞の視認性の向上を図ることを目的とするものである。
【課題を解決するための手段】
【０００９】
上述する課題を解決するため、本発明に係るカラオケ装置は以下の構成を採用するものである。
歌詞情報を含んで構成された画像情報を表示部に表示させるカラオケ装置において、
演奏部と、制御部と、を備え、
前記演奏部は、演奏情報を演奏可能とし、
前記制御部は、
歌唱者の位置を検出する位置検出処理と、
前記演奏部に演奏情報を演奏させるとともに、前記位置検出処理で検出した歌唱者の位置に基づいて、前記表示部の表示領域内に表示される画像情報の大きさを変更する再生処理と、を実行することを特徴とする。
【００１０】
さらに本発明に係るカラオケ装置において、
前記再生処理は、前記位置検出処理で検出した歌唱者の位置に基づいて、前記画像情報中の歌詞情報の大きさを変更することを特徴とする。
【００１１】
さらに本発明に係るカラオケ装置において、
前記再生処理は、前記位置検出処理で検出した歌唱者の位置に基づいて、前記表示部の表示領域内に表示される画像情報の位置を変更することを特徴とする。
【００１２】
さらに本発明に係るカラオケ装置において、
前記位置検出処理は、複数の歌唱者の位置を検出し、
前記再生処理は、前記位置検出処理で検出した各歌唱者の位置に基づいて、前記画像情報の位置を変更することを特徴とする。
【００１３】
さらに本発明に係るカラオケ装置において、
前記位置検出処理は、センサを使用して歌唱者の位置として検出することを特徴とする。
【００１４】
さらに本発明に係るカラオケ装置は、
ユーザをログインさせるログイン処理と、
ログインしているユーザの位置を指定する位置指定処理と、
ログインしているユーザと楽曲の識別情報を対応付けて指定する楽曲指定処理と、を実行可能とし、
前記再生処理は、指定処理で指定された楽曲を再生させるとともに、
前記位置検出処理は、前記再生処理で再生されている楽曲に対応付けられたユーザについて、前記位置指定処理で指定された当該ユーザの位置を歌唱者の位置を検出することを特徴とする。
【００１５】
さらに本発明に係るカラオケ装置は、
歌唱位置と楽曲の識別情報を対応付けて指定する楽曲処理を実行可能とし、
前記再生処理は、指定処理で指定された楽曲を再生させるとともに、
前記位置検出処理は、前記再生処理で再生されている楽曲に対応付けられた歌唱位置を歌唱者の位置として検出することを特徴とする。
【発明の効果】
【００１６】
本発明に係るカラオケ装置によれば、歌唱者がカラオケ装置を利用した歌唱を楽しむ際、歌唱者が歌唱する位置に応じて、適切な大きさ（あるいは位置）の歌詞が表示部に表示される。したがって、カラオケを楽しむ部屋内に複数台の表示部を設置する必要が無く、カラオケに参加するメンバー間におけるコミュニケーションを円滑にすることが可能となる。さらに、大画面の表示部に近接して歌唱する場合においても、歌詞を十分に視認する
ことが可能となるなど、部屋内での歌唱位置における視認性の向上を図ることが可能となる。
【図面の簡単な説明】
【００１７】
【図１】本発明の実施形態に係るカラオケシステムを示す図
【図２】本発明の実施形態に係るトップ画面を示す図
【図３】本発明の実施形態に係るユーザ情報のデータ構成を示す図
【図４】本発明の実施形態に係るユーザ情報の送受信を説明する図
【図５】本発明の実施形態に係るアクティブユーザトップ画面を示す図
【図６】本発明の実施形態に係る楽曲確認画面を示す図
【図７】本発明の実施形態に係る楽曲演奏処理を示すフロー図
【図８】本発明の実施形態に係る歌唱者の位置検出の様子を示す図
【図９】カラオケルーム内のユーザの配置例を示す図
【図１０】歌唱者の位置に応じたモニタの各種表示形態を示す図
【図１１】歌唱者の位置に応じたモニタの各種表示形態を示す図
【図１２】本発明の実施形態に係る位置指定画面を示す図
【発明を実施するための形態】
【００１８】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００１９】
カラオケボックスなどの店舗に設置されるカラオケ装置２は、楽曲を演奏するための演奏部として音響制御部２５を備えている。また、カラオケ装置２は、ユーザからの各種入力を受け付けるスイッチなどで構成されるカラオケ装置２側の入力部としての操作部２１を備える。カラオケ装置２は、操作部２１からの入力を解釈して制御部３０に伝達するインターフェイス２２を備える。また、カラオケ装置２は、各種情報を記憶するカラオケ装置側記憶部としてのＨＤＤ３２（ハードディスク）を備える。カラオケ装置２は、ＬＡＮ１００に接続してネットワークに加入するためのカラオケ装置側通信手段としてのＬＡＮ通信部２４インターフェイス部２４を備えている。
【００２０】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００２１】
さらに、このカラオケ装置２では、外部に接続されるモニタ４１以外に、タッチパネルモニタ３３に対して各種情報を表示することを可能としている。タッチパネルモニタ３３は映像制御部３１から入力された映像情報を表示する表示部３５と、タッチ入力された位置をインターフェイス２２に出力するタッチパネル３４が重畳されて構成されている。このタッチパネルモニタ３３は、カラオケ装置２の操作部、あるいは、リモコン装置１のタッチパネルモニタ１１などと同様、入力部として機能する。ユーザは、タッチパネルモニタ３３から楽曲を選択して、直接カラオケ装置２に予約をさせるなど、カラオケ装置２に対する各種操作を行うことが可能である。
【００２２】
さらに、カラオケ装置２は、各構成を統括して制御するためのＣＰＵ３０、各種プログ
ラムを実行するにあたって必要となる情報を一時記憶するためのメモリ２７を備えて構成される。
【００２３】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。ユーザの操作により、リモコン装置１などの入力部で指定された予約情報をメモリ２７中の予約テーブルに登録する。楽曲再生処理は、予約された楽曲を再生させる処理であって、楽曲演奏処理と歌詞再生処理とが同期して実行される処理である。
【００２４】
楽曲演奏処理は、楽曲情報に含まれる演奏情報に基づき、音響制御２５に演奏を実行させる処理である。音響制御部２５にて演奏された楽曲は、歌唱用マイク４４ａ、４４ｂから入力される歌唱音声と一緒にスピーカ４２から放音される。歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。
【００２５】
一方、リモコン装置１は、予約情報などカラオケ装置２に対して各種指示を送信するとともに、カラオケ装置２あるいはインターネット上に接続されたホスト装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００２６】
さらにリモコン装置１は、楽曲検索に必要とされるデータベース、各種プログラム、並びに、プログラム実行に伴って発生する各種情報を記憶するリモコン側記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００２７】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００２８】
このようなリモコン装置１の構成により、ユーザからの各種入力をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能とされている。
【００２９】
図２は、本発明の実施形態に係るトップ画面、すなわち、リモコン装置１を起動した直後の画面を示す図である。本実施形態では、リモコン装置１の表示部１１に表示を行うことで、リモコン装置１を操作するユーザに対して各種情報が提供される。
【００３０】
本実施形態のカラオケシステムは、各リモコン装置１のタッチパネルモニタ１１から認証情報（後述するユーザ識別情報やパスワード）を入力することで、ログインすることが
可能となっている。特に、本実施形態のカラオケシステムでは、複数のユーザをログインさせることを可能としており、ログインしたユーザ（ログインユーザ）に関する情報は画面上方に常時表示される。ログインしたユーザの分身像（アバター）を表示するためのログインユーザ欄１０３が設けられている。なお、分身像としては、人、キャラクターを模した像の他、図形や記号など各種形態を採用することができる。
【００３１】
また、アカウントを有していないユーザのためのゲストアイコン１０２、ユーザを切り替えるためのユーザ切り替えスイッチ１０１が表示されている。ログインしたユーザは、ログインユーザ欄１０３に表示される分身像を選択、あるいは、ユーザ切り替えスイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切り替えの際には、パスワードなどを使用した認証を行うこととしてもよいが、認証を行うことなく簡易に切り替えることとしてもよい。
【００３２】
図３は、ユーザ毎にホスト装置５に記憶されているユーザ情報を説明するための図である。本実施形態では、ユーザ情報として、個人情報、マイうたテーブル、マイアーティストテーブル、履歴テーブルといった、ユーザに関する各種情報を含んで構成される。ユーザ情報は、ホスト装置５の記憶部５１に記憶されている。ユーザ情報には、ユーザがログインするための認証情報（ユーザ識別情報とパスワード）が含まれている。個人情報には、ユーザ名（実際の名前に限ったものでなく、ニックネームであってもよい）、性別、年齢、うた年齢、居住地、趣味などを含んで構成される。これら各種情報は、リモコン装置１、あるいは、インターネットなどのネットワークに接続された図示しないパーソナルコンピュータ、携帯情報端末などを使用し、ログインして設定することも可能である。リモコン装置１とカラオケ装置２との対応付け（通称、くくりつけ）が、予め完了していれば、リモコン装置１の操作部１７から入力された各種情報をカラオケ装置２へ送付し、カラオケ装置２からホスト５へログインしてもよい。
【００３３】
マイうたテーブルは、ユーザによって登録された楽曲を記憶するテーブルであって、楽曲識別情報、音程調整値、過去の採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００３４】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。
【００３５】
履歴テーブルは、ユーザが過去に演奏した楽曲に関する各種情報を記録した情報であって、本実施形態では、過去に当該ユーザが予約することで演奏された楽曲について、楽曲の楽曲識別情報、演奏した日時を示す歌唱日時、採点情報などを含んで構成されている。ユーザは、この履歴テーブルに基づいて、過去に演奏した楽曲を呼び出して再度歌唱することが可能である。
【００３６】
図４は、このユーザ情報の送受信の様子を示した図である。カラオケ店舗に来店したユーザは、自己のユーザ識別情報とパスワードで構成された認証情報を入力、あるいは、リモコン装置１などに設けられたＩＣカードリーダでＩＣカードに記憶されている認証情報を読み取らせることで認証処理Ｓ１０１を実行する。カラオケ装置２あるいはリモコン装置１は、認証情報をホスト装置５に送信し（Ｓ１０２）、認証情報を受信したホスト装置
５は記憶部５１に記憶されたデータベースから、該当するユーザのユーザ情報を抽出し（Ｓ１２１）、問い合わせのあったカラオケ装置２あるいはリモコン装置１に対して送信する（Ｓ１２２）。
【００３７】
ユーザ情報を受信したカラオケ装置２側では（Ｓ１０３）、受信したユーザ情報に基づいて、楽曲指定処理、楽曲再生処理など各種サービス処理を提供する（Ｓ１０４）。ユーザによりログアウトが要求される（Ｓ１０５）とサービス処理を中断し、サービス処理中に発生した各種履歴（ログ）、あるいは、ユーザによる設定変更を反映したユーザ情報をホスト装置５に送信する（Ｓ１０６）。ここで、ユーザ情報は、全ての情報を送信することの他、更新された差分だけを送信してもよい。ユーザ情報を受信したホスト装置５では（Ｓ１２３）、受信したユーザ情報に基づいて記憶部５１に記憶されたデータベースの更新を実行する（Ｓ１２４）。
【００３８】
以上、あるユーザが認証処理（ログイン処理）してから、ログアウトするまでの流れを説明したが、本実施形態のカラオケ装置２、リモコン装置１は、認証された複数人（認証ユーザ）が同時にログインした状態で使用することが可能となっている。図２で説明したユーザインターフェイスを用いることで、サービスを提供するユーザ（以下、「アクティブユーザ」という）を切り替えて使用することが可能となっている。
【００３９】
図５は、本発明の実施形態に係るアクティブユーザトップ画面を示す図である。この図に示されるように、複数人がログインした状態ではログインユーザ欄１０３にログインしたユーザの分身像１０３ａ、１０３ｂ、１０３ｅ（本実施形態では顔部分）が表示される。またログインユーザ欄１０３中、右端に背景がハイライト（白色）で示されるユーザは、アクティブユーザ１０３ｅ（Ａさん）であって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、歌手名、楽曲名に基づく検索を行うことができる。
【００４０】
図６には、本発明の実施形態に係る楽曲確認画面が示されている。アクティブユーザとして楽曲を選択した場合、この楽曲確認画面にて、予約を行う楽曲に間違いがないか、楽曲名、歌手名、歌い出しなどを表示してユーザに確認させる。このとき、選択した楽曲に対して自分の歌唱できる音程（キー）が予め分かっている場合には、「音程設定」を変更することで演奏する際の音程調整値を設定することが可能となっている。音程設定右下の「変更」ボタンを操作することで、音程設定用の子画面が表示され音程調整値を設定することが可能である。
【００４１】
この楽曲確認画面にて「予約」ボタンの操作による選曲指示が入力されると、リモコン装置１からカラオケ装置２に対してアクティブユーザのユーザ識別情報、楽曲識別情報、音程調整値などを含む予約情報が送信される。受信したカラオケ装置２では、予約情報を予約テーブルに追加して、予約テーブルに登録された楽曲を順次再生させる楽曲再生処理を実行する。
【００４２】
図７には、本発明の実施形態に係る楽曲演奏処理を示すフロー図が示されている。楽曲再生処理が開始されると、カラオケ装置２内のメモリ２７に記憶しされている予約テーブルを参照し、次に再生させる楽曲の有無が判定される（Ｓ２０１）。予約テーブル中、次に再生させる楽曲がある場合（Ｓ２０２：Ｙｅｓ）には、当該楽曲の楽曲情報を使用した楽曲再生が開始される（Ｓ２０３）。本実施形態の楽曲再生処理では、表示部に対する歌唱者の位置に応じて、表示部の表示領域内に表示される画像情報の大きさを変更することとしている。本実施形態では、カラオケ装置２に接続された位置検出センサ４５を使用して歌唱者の位置を検出する位置検出処理（Ｓ２０４）を行うこととしている。本実施形態
では表示部として液晶ディスプレイ装置などのモニタ４１を使用しているが、表示部には投射型プロジェクタ装置など、他の形態を使用することも可能である。
【００４３】
図８には、本発明の実施形態に係る歌唱者の位置検出の様子が示されている。本実施形態の位置検出センサ４５は、光学的センサを利用した形態であって、モニタ４１の上部に設置された２つの赤外線受光部４５１ａ、４５１ｂと、歌唱用マイク４４に配置された赤外線発光部４５２を備えて構成される。各赤外線受光部４５１ａ、４５１ｂが、赤外線発光部４５２から出射された赤外線を受光することで、各赤外線受光部４５１ａ、４５１ｂから赤外線発光部４５２までの距離を測定することが可能である。本実施形態では、歌唱用マイク４４から各赤外線受光部４５１ａ、４５１ｂまでの各距離に基づいて、部屋内部の２次元的な位置を測定することが可能である。赤外線受光部をさらにもう１つ設けることで、上下方向を含む３次元的な位置を検出することも可能である。
【００４４】
なお、図１で説明したように本実施形態のカラオケシステムは、２本の歌唱用マイク４４ａ、４４ｂを備えて構成されている。そのため、位置検出処理は、電源がオン状態の歌唱用マイク４４の位置を検出する、もしくは、歌唱が行われている、すなわち、所定の閾値以上の音声信号が入力されている歌唱用マイク４４を位置検出対象としてもよい。
【００４５】
センサを利用した位置検出処理は、このような光学的センサ（赤外線）を使用した形態に限らず、音響的センサ（超音波など）を使用した形態、カメラで撮像した映像の解析に基づく形態など各種形態を採用することが考えられる。位置検出処理で測定された歌唱用マイク４４の位置（歌唱者の位置に相当）に基づき、モニタ４１に表示させる画面表示形態が決定（Ｓ２０５）され、当該表示形態に基づいて表示が行われる（Ｓ２０６）。
【００４６】
図９には、カラオケルーム内のユーザの配置例が示されている。カラオケルーム６内において、３人のユーザによるカラオケが行われている状況である。第１の実施形態では、モニタ４１の表示位置からの映像出射方向に関する距離Ｌを使用して表示形態を決定している。各ユーザの距離Ｌは、ユーザＡ、ユーザＢ、ユーザＣの順でＬａ、Ｌｂ、Ｌｃ（Ｌａ＞Ｌｂ＞Ｌｃ）となっている。図１０には、図９のユーザの位置に応じたモニタ４１の表示形態が示されている。図１０（Ａ）、（Ｂ）、（Ｃ）は、それぞれ、図９のユーザＡ、ユーザＢ、ユーザＣの位置でのモニタ４１の表示形態となっている。モニタ４１は、画面、すなわち、画像を表示可能とする表示領域４１ａを有して構成されている。本実施形態では、この表示領域４１ａ内に表示する画像情報４１ｂの大きさを、位置検出処理で検出した歌唱者の位置に応じて変更する形態を採用している。
【００４７】
表示領域４１ａ内に表示する画像情報４１ｂは、従来のカラオケにおいて表示するのと同様、背景映像に歌詞情報４１ｃを重畳した形態である。本実施形態では、歌唱者の位置に応じて画像情報４１ｂの大きさを変更するとともに、歌詞情報４１ｃの大きさも変更する形態となっている。すなわち、画像情報４１ｂの大きさを変更する際、背景映像と歌詞情報４１ｃの大きさを独立して変更可能とすることで、歌唱者に視認しやすい歌詞を提供することを可能としている。
【００４８】
図１０（Ａ）は、図９中、最も遠い位置（距離Ｌａ）に位置するユーザＡが歌唱する際の表示形態であって、画像情報４１ｂ_ａは、３つの表示形態の中で最も大きい形態であ
って、歌詞情報４１ｃ_ａも距離Ｌａで視認しやすい大きさとなっている。図１０（Ｂ）
は、図９中、中間位置（距離Ｌｂ）に位置するユーザＢが歌唱する際の表示形態であって、画像情報４１ｂ_ｂは中間の大きさに設定されている。また、歌詞情報４１ｃ_ｂも図１０（Ａ）より小さく設定され、見易い大きさに設定されている。図１０（Ｃ）は、図９中、近接位置（距離Ｌｃ）に位置するユーザＣが歌唱する際の表示形態であって、画像情報４１ｂ_ｃは最も小さい大きさに設定されている。この場合、歌詞情報４１ｃ_ｃは図１０
（Ｂ）と同じ大きさに設定されている。画像情報４１ｂの大きさを小さくするに伴って、歌詞情報４１ｃの大きさも小さくすると、歌詞情報４１ｃが小さくなり過ぎてしまうことが考えられる。本実施形態では、このように画像情報４１ｂの大きさと、歌詞情報４１ｃの大きさを独立して変更することで、視認しやすい歌詞を提供することが可能となっている。
【００４９】
このように位置検出処理で検出された歌唱者の位置に基づいて、画像情報４１ｂ並びに歌詞情報４１ｃの表示形態を変更することで、歌唱者に対して視認しやすい歌詞を提供することが可能である。この表示形態の変更は、表示部として大画面のモニタ４１あるいは投射型プロジェクタ装置を利用した場合、特に有効である。歌唱者は何れの位置においても歌唱しやすい歌詞を視認することが可能である。
【００５０】
位置検出処理（Ｓ２０４）、画像情報４１ｂに関する表示形態の変更（Ｓ２０５、Ｓ２０６）は、楽曲再生が終了する（Ｓ２０７：Ｙｅｓ）まで継続して実行される。したがって、本実施形態では歌唱者が楽曲再生中に歌唱位置を変更した場合においても、画像情報４１ｂの表示形態を追従して変更することが可能である。
【００５１】
図１０では、モニタ４１の映像出射方向に関する距離Ｌについて表示形態の制御を行うこととしていたが、表示形態の制御には、モニタ４１の映像出射方向と直交する方向を使用して制御を行うこととしてもよい。図８で説明したように本実施形態の位置検出処理は、カラオケルーム６内の２次元的な位置を検出することを可能としている。図９のユーザ配置例では、モニタ４１の中心位置からの距離Ｗ（図９中の横軸方向）を利用する形態であり、各ユーザの距離Ｗは、ユーザＡ、ユーザＢ、ユーザＣの順でＷａ（中心位置）、Ｌｂ（右側位置）、Ｌｃ（左側位置）となっている。
【００５２】
図１１には、図９の距離Ｌと距離Ｗを使用した各種表示形態が示されている。画像情報４１ｂの大きさ、歌詞情報４１ｃの大きさに関する表示形態の制御については、図１０と同様であるが、位置検出処理で検出された距離Ｗを利用した表示形態の制御が加味されている。具体的には、距離Ｗに応じて、モニタ４１の表示領域４１ａ内での画像情報４１ｂの左右方向の位置を変更している。図１１（Ａ）〜図１１（Ｃ）は、図９中の各ユーザＡ〜Ｃにそれぞれ対応する表示形態であって、画像情報４１ｂ、歌詞情報４１ｃの大きさの変更は、図１０の表示形態と同様である。この実施形態では、及び、位置検出処理で検出された距離Ｗに応じて表示領域４１ａ内における画像情報４１ｂの左右方向の位置を変更している。
【００５３】
図１１（Ａ）は、モニタ４１の中心位置付近に位置するユーザＡが歌唱する際の表示形態であって、画像情報４１ｂ_ａは、表示領域４１ａ内の中心付近に位置した表示形態と
なっている。図１１（Ｂ）は、モニタ４１の中心位置から距離Ｗｂだけ右方向に離れた位置で歌唱するユーザＢに対する表示形態であって、画像情報４１ｂ_ｂは、表示領域４１
ａ内において距離Ｗｂに応じて右方向に移動した表示形態となっている。図１１（Ｃ）は、モニタ４１の中心位置から距離Ｗｃだけ左方向に離れた位置で歌唱するユーザＣに対する表示形態であって、画像情報４１ｂ_ｃは、表示領域４１ａ内において距離Ｗｃに応じ
て左方向に移動した表示形態となっている。
【００５４】
このように位置検出処理で検出された表示領域４１ａの左右方向に関する距離Ｗに応じて、表示領域４１ａ内において画像情報４１ｂを左右方向に位置調整することで、箇所するユーザに対して視認しやすい歌詞を提供することが可能である。本実施形態では、表示領域４１ａからの距離Ｌを使用して表示する画像情報４１ｂの大きさを調整するとともに、表示領域４１ａの左右方向に関する距離Ｗを使用して画像情報４１ｂの左右方向の位置調整を行うこととしているが、表示領域４１ａの上下方向に関する距離Ｈを使用すること
としてもよい。図８で説明したように位置検出センサ４５は、上下方向を含む３次元的な位置を検出することも可能である。位置検出処理で検出された上下方向の距離Ｈを使用し、表示領域４１ａ内に表示される画像情報４１ｂを上下方向に位置調整することで、例えば、歌唱者が立って歌唱する場合と、座って歌唱する場合とのそれぞれにおいて、適切な位置に画像情報４１ｂを表示させ、大画面においても視認しやすい歌詞を提供することが可能となる。
【００５５】
さらに、デュエットなど複数の歌唱者による歌唱に対応することとしてもよい。図１で説明したように、本実施形態のカラオケシステムは、２本の歌唱用マイク４４ａ、４４ｂを備えて構成されている。位置検出センサ４５にて、これら２つの歌唱用マイク４４ａ、４４ｂを位置検出し、２つの歌唱用マイク４４ａ、４４ｂの位置に応じて画像情報の４１ｂの大きさ、位置の少なくとも一方を変更することとしてもよい。この場合、２つの歌唱用マイク４４ａ、４４ｂの位置に基づき、１つの画像情報４１ｂを表示させる形態の他、表示領域４１ａ内に、各歌唱用マイク４４ａ、４４ｂ毎の画像情報４１ｂを表示させることとしてもよい。特に、２人の歌唱者が離れた位置で歌唱する場合、このように１つの表示領域４１ａ内に複数（２つ）の画像情報４１ｂを表示させることで、各歌唱者の歌唱位置に適した表示形態で歌詞を表示させることが可能となる。
【００５６】
以上、位置検出センサ４５を使用した位置検出処理について説明を行ったが、位置検出処理は、位置検出センサ４５を使用した形態の他、ユーザの入力に基づいて指定された位置に基づいて行うことも可能である。ユーザ入力による歌唱者の位置指定は、例えば、ユーザがログインした際、自分の着座する位置を指定することで行うことが可能である。図１２には、本発明の実施形態に係る位置指定画面が示されている。この位置指定画面は、ユーザによるログイン認証が完了後、表示されるが面であって、本実施形態では、入力部としてリモコン装置１を使用した形態となっている。図１２には、ユーザＡ（Ａさん）がログインした直後に表示される位置指定画面であって、ルーム内レイアウト１１１（図９のカラオケルーム６と同様のレイアウト）が表示されている。ユーザは、このルーム内レイアウト１１１上において、歌唱ユーザアイコン１１２を移動することで、自分の着座位置（歌唱者の位置）を指定する。歌唱ユーザアイコン１１２を移動させ、決定ボタン１１３を操作することで、ログインしたユーザに対する歌唱位置が確定する。
【００５７】
楽曲指定処理において、予約情報中に楽曲識別情報の他、ユーザ識別情報を含めることで、楽曲再生処理では、演奏される楽曲がどのユーザによって指定されたかを判別することが可能である。位置検出処理では、楽曲を指定したユーザについて、位置指定画面で指定された歌唱位置に基づいて、画面表示形態を決定する。ユーザの入力による歌唱位置については、このようにユーザがログインした際に指定する他、カラオケシステムの利用中、適宜タイミングにて指定可能としてもよい。あるいは、図６で説明した楽曲を予約指定する際の楽曲確認画面で指定することとしてもよい。予約情報に歌唱位置を含めて指定することで、予約された楽曲毎に歌唱位置を指定することが可能となる。また、この場合、ログインしているユーザの他、アカウントを所有していないゲストユーザについても歌唱位置の指定に対応することが可能となる。
【００５８】
なお、本発明はこれらの実施形態のみに限られるものではなく、それぞれの実施形態の構成を適宜組み合わせて構成した実施形態も本発明の範疇となるものである。例えば、画像情報４１ｂの表示位置について、図１１に示す左右位置の検出を行わず、図１０に示す、モニタ４１と歌唱者のマイクの歌唱位置の間の距離の長短に応じて、画像表示情報の大きさを画像情報４１ｂ_ａからａ４１ｂ_ｃへ、と画像情報サイズを小さくするだけでよい場合もある。この場合は、赤外線発光部を１つ、赤外線受光部を１つだけにして、単に赤外線の発光から受光までの信号遅延時間だけを検出し、信号の遅延が大きい場合は、距離が長い、信号遅延が小さい場合は、距離が短いと、判断してもよい。
【００５９】
また本実施例において、位置検出する信号の搬送波に赤外線を用いたが、距離が短い場合には、距離を計測する信号の搬送波に超音波を用いる、また、距離の精度を向上させたい場合は、レーザー光を用いるなど、周知の光や音による距離計測技術を用いればよい。
【符号の説明】
【００６０】
１ａ、１ｂ…リモコン装置、１１…タッチパネルモニタ、１１ａ…表示部、１１ｂ…タッチパネル、１２…ビデオＲＡＭ、１３…映像制御部、１４…メモリ、１５…制御部、１６…無線ＬＡＮ通信部、１７…操作部、１８…操作処理部、１９…赤外線通信部、２…カラオケ装置（コマンダ）、２１…操作部、２２…インターフェイス、２３…赤外線通信部、２４…ＬＡＮ通信部、２５…音響制御部、２７…メモリ、２８…ビデオＲＡＭ、２９…映像再生部、３０…制御部、３１…映像制御部、３２…ハードディスク、４１…モニタ、４２…スピーカ、４３…カメラ、４４ａ、４４ｂ…歌唱用マイク、４５…位置検出センサ、４５１ａ、４５１ｂ…赤外線受光部、４５２…赤外線発光部、６…カラオケルーム、６１ａ、６１ｂ…ソファ、６２…テーブル、１００…ＬＡＮ、１１０…アクセスポイント、１２０…ルータ
【図１】
2015069042.tif 000003
【図２】
2015069042.tif 000004
【図３】
2015069042.tif 000005
【図４】
2015069042.tif 000006
【図５】
2015069042.tif 000007
【図６】
2015069042.tif 000008
【図７】
2015069042.tif 000009
【図８】
2015069042.tif 000010
【図９】
2015069042.tif 000011
【図１０】
2015069042.tif 000012
【図１１】
2015069042.tif 000013
【図１２】
2015069042.tif 000014